(57)【特許請求の範囲】
【請求項１】
内部が加熱室と電気室に画成され、前記加熱室には被加熱物の出し入れを行う前面開口部が形成された本体と、
前記加熱室内の底面上に収納可能な角皿と、
前記本体の前面を覆うように前記本体に開閉自在に設けられた縦開き扉と、
前記縦開き扉のフレームに接着剤で固定されて該フレームと共に扉内面を形成する窓ガラスとを有し、
前記加熱室の底面に前記角皿を載置して被加熱物を加熱する加熱調理器において、
前記縦開き扉の内面に、前記窓ガラスを固着している前記接着剤の盛り上がり高さよりも突出高さが高く、かつ前記角皿を引き出し方向に案内する凸形状部を設け、
前記凸形状部は、前記窓ガラスを固着している前記接着剤中に部分的に埋め込まれて、反埋込部が前記接着剤の盛り上がり部よりも突出する摺動性を備えたスペーサーにより構成したことを特徴とする加熱調理器。
【請求項２】
前記縦開き扉の内面に設けた凸形状部の長さ寸法を、前記接着剤の角皿引き出し方向寸法よりも長くしたことを特徴とする請求項１記載の加熱調理器。
【請求項３】
前記縦開き扉の内面に設けた凸形状部の角皿引き出し方向先端部に、前記角皿と係合可能なストッパーを設けたことを特徴とする請求項１又は請求項２記載の加熱調理器。
【請求項４】
前記角皿に、前記縦開き扉の凸形状部に沿って延びるガイドを設けたことを特徴とする請求項１乃至請求項３のいずれかに記載の加熱調理器。
【請求項５】
前記凸形状部を、前記縦開き扉の前記フレームに設けたことを特徴とする請求項１乃至請求項４のいずれかに記載の加熱調理器。
【請求項６】
前記凸形状部を、前記縦開き扉の前記窓ガラスに設けたことを特徴とする請求項１乃至請求項４のいずれかに記載の加熱調理器。
【請求項７】
内部が加熱室と電気室に画成され、前記加熱室には被加熱物の出し入れを行う前面開口部が形成された本体と、
前記加熱室内の底面上に収納可能な角皿と、
前記本体の前面を覆うように前記本体に開閉自在に設けられた縦開き扉と、
前記縦開き扉のフレームに接着剤で固定されて該フレームと共に扉内面を形成する窓ガラスとを有し、
前記加熱室の底面に前記角皿を載置して被加熱物を加熱する加熱調理器において、
前記角皿の下面に、前記窓ガラスを固着している前記接着剤の盛り上がり高さよりも突出高さが高く、かつ当該角皿の引き出し方向に延出する凸形状部を設け、
前記凸形状部を、前記角皿の下面に取り付けた摺動性を有するスペーサーにより構成したことを特徴とする加熱調理器。
【請求項８】
前記角皿の下面に設けた凸形状部の長さ寸法を、前記接着剤の角皿引き出し方向寸法よりも長くしたことを特徴とする請求項７記載の加熱調理器。
【請求項９】
前記縦開き扉の内面における前記角皿引き出し方向先端部に、前記角皿と係合可能なストッパーを設けたことを特徴とする請求項７又は請求項８記載の加熱調理器。
【請求項１０】
前記縦開き扉の内面に、前記角皿の下面の凸形状部に沿って延びるガイドを設けたことを特徴とする請求項７乃至請求項９のいずれかに記載の加熱調理器。
【発明の詳細な説明】
【技術分野】
【０００１】
本発明は加熱調理器、特に縦開きの扉を有する加熱調理器に関する。
【背景技術】
【０００２】
一般に、加熱調理器は、前面開口部を有し被加熱物を収容する加熱室と、マイクロ波を発振するマグネトロンとマグネトロンの発振するマイクロ波を加熱室に拡散させる回転アンテナと、被加熱物の前面開口部を覆う開閉自在な縦開き扉と、加熱室の底面上に収納可能な角皿とを備えている。そして、加熱室の底面が仕切板により構成され、仕切板は加熱室にシリコン等の接着剤で固定されている。また、扉には加熱室内の視認性を向上させるための窓ガラスが設けられている。窓ガラスは、扉のフレームにシリコン等の接着剤で固定されており、窓ガラスとフレームによって扉内面が形成されている。
【０００３】
このようなものにおいて、加熱室の底面となる仕切板を固定するシリコン等の接着剤は、仕切板の固定部（接着部）に盛り上がるように形成されており、収納された角皿と接触する。また、シリコン等の接着剤は、摩擦力が大きく、角皿の出し入れ時に引っ掛かってしまう。
【０００４】
そこで、加熱室側面に角皿用のガイドレールを設けて、角皿を取り出し易くしたものが提案されている（例えば、特許文献１参照）。
【先行技術文献】
【特許文献】
【０００５】
【特許文献１】特許第４２６５６９３号公報（図４、図７）
【発明の概要】
【発明が解決しようとする課題】
【０００６】
しかしながら、加熱室側面に角皿用のガイドレールを設けて、角皿を取り出し易くしたものにあっても、角皿を加熱室から扉部まで引き出すと、ガラスを固定しているシリコンの盛り上がり部に当たるため、角皿と扉内面のシリコンとの摩擦によって、角皿が引っ掛かって動かなくなり、角皿取り出し性が悪化したり、更には扉内面のシリコンが剥がれる等の問題が生じる。
【０００７】
本発明の技術的課題は、角皿を加熱室から扉側まで引き出す際に、角皿が接着剤の盛り上がり部に当たるのを防いで、スムーズに引き出せるようにすることにある。
【課題を解決するための手段】
【０００８】
本発明に係る加熱調理器は、下記の構成からなるものである。すなわち、内部が加熱室と電気室に画成され、加熱室には被加熱物の出し入れを行う前面開口部が形成された本体と、加熱室内の底面上に収納可能な角皿と、本体の前面を覆うように本体に開閉自在に設けられた縦開き扉と、縦開き扉のフレームに接着剤で固定されてこのフレームと共に扉内面を形成する窓ガラスとを有し、加熱室の底面に角皿を載置して被加熱物を加熱する加熱調理器において、縦開き扉の内面に、窓ガラスを固着している接着剤の盛り上がり高さよりも突出高さが高く、かつ角皿を引き出し方向に案内する凸形状部を設け、凸形状部は、窓ガラスを固着している接着剤中に部分的に埋め込まれて、反埋込部が接着剤の盛り上がり部よりも突出する摺動性を備えたスペーサーにより構成したものである。
【発明の効果】
【０００９】
本発明の加熱調理器によれば、縦開き扉の内面に、窓ガラスを固着している接着剤の盛り上がり高さよりも突出高さが高く、かつ角皿を引き出し方向に案内する凸形状部を設け、凸形状部は、窓ガラスを固着している接着剤中に部分的に埋め込まれて、反埋込部が接着剤の盛り上がり部よりも突出する摺動性を備えたスペーサーにより構成したので、角皿を加熱室から扉側まで引き出す際に、角皿が接着剤の盛り上がり部に当たることがなく、かつ角皿と凸形状部との摺動性が向上し、スムーズに引き出すことができる。
【図面の簡単な説明】
【００１０】
【図１】本発明の実施形態１に係る加熱調理器の角皿を引き出す前の状態を示す斜視図である。
【図２】本発明の実施形態１に係る加熱調理器の角皿を引き出している途中の状態を示す斜視図である。
【図３】本発明の実施形態１に係る加熱調理器の角皿を取り出した後の状態を示す斜視図である。
【図４】本発明の実施形態１に係る加熱調理器の閉扉状態を示す斜視図である。
【図５】本発明の実施形態１に係る加熱調理器を外装板を外した状態で示す斜視図である。
【図６】本発明の実施形態１に係る加熱調理器の内部構造を示す正面視の断面図である。
【図７】本発明の実施形態１に係る加熱調理器の角皿を引き出している途中の状態を示す側面視の断面図である。
【図８】図７の要部を拡大して示す断面図である。
【図９】本発明の実施形態１に係る加熱調理器の角皿と扉側の凸形状部とストッパーとの関係を側方より示す要部拡大断面図である。
【図１０】本発明の実施形態１に係る加熱調理器の角皿と扉側の凸形状部との関係を正面側より示す要部拡大断面図である。
【図１１】本発明の実施形態２に係る加熱調理器の角皿側のガイドと扉側の凸形状部との関係を正面側より示す要部拡大断面図である。
【図１２】本発明の実施形態２に係る加熱調理器の角皿をストッパー部位まで引き出した状態を示す側面視の断面図である。
【図１３】本発明の実施形態３に係る加熱調理器の角皿を取り出した後の状態を示す斜視図である。
【図１４】本発明の実施形態３に係る加熱調理器の角皿と扉側の角皿引き出し方向に直交する凸部との関係を側方より示す要部拡大断面図である。
【図１５】本発明の実施形態４に係る加熱調理器の角皿と扉側のスペーサーとの関係を正面側より示す要部拡大断面図である。
【図１６】本発明の実施形態６に係る加熱調理器の要部であるフレームの窓ガラス固定部を拡大して示す断面図である。
【発明を実施するための形態】
【００１１】
実施形態１．
図１は本発明の実施形態１に係る加熱調理器の角皿を引き出す前の状態を示す斜視図である。図２は本発明の実施形態１に係る加熱調理器の角皿を引き出している途中の状態を示す斜視図である。図３は本発明の実施形態１に係る加熱調理器の角皿を取り出した後の状態を示す斜視図である。図４は本発明の実施形態１に係る加熱調理器の閉扉状態を示す斜視図である。図５は本発明の実施形態１に係る加熱調理器を外装板を外した状態で示す斜視図である。図６は本発明の実施形態１に係る加熱調理器の内部構造を示す正面視の断面図である。図７は本発明の実施形態１に係る加熱調理器の角皿を引き出している途中の状態を示す側面視の断面図である。図８は図７の要部を拡大して示す断面図である。図９は本発明の実施形態１に係る加熱調理器の角皿と扉側の凸形状部とストッパーとの関係を側方より示す要部拡大断面図である。図１０は本発明の実施形態１に係る加熱調理器の角皿と扉側の凸形状部との関係を正面側より示す要部拡大断面図である。
【００１２】
本発明の実施形態１の加熱調理器は、本発明をオーブンレンジに適用したものであり、図１乃至図６のように前壁となる前板２を有しかつ外装板３に覆われた本体１の内部は加熱室５と電気室６に画成されている。加熱室５には、その前面となる前板２に被加熱物の出し入れを行う開口部（以下「前面開口部」という）７が形成され、この前面開口部７を含む本体の前面の全域が、一部に窓ガラス８を有した縦開き扉９によって開閉されるようになっている。縦開き扉９は、下辺部が本体１に軸支され、上辺中央部にハンドル１０が設けられている。窓ガラス８は、縦開き扉９の板金でなるフレーム９ａにシリコン等の接着剤３０によって固定されており、窓ガラス８とフレーム９ａとは共に扉内面を形成している。電気室６には、マグネトロン１１と、このマグネトロン１１に駆動電力を供給する高圧電力発生手段１２とが配置されている。加熱室５には、両側壁に角皿１３を支持する棚保持部１４ａ，１４ｂが設けられているとともに、一方の側壁に、加熱室５内の被加熱物の温度を検出する赤外線センサー１５が設置されている。角皿１３は、通常、加熱室５の底面に載置されて使用される。加熱室５を加熱する手段として、マイクロ波を用いたマイクロ波加熱手段と、ヒーターを用いた輻射加熱手段が備えられている。
【００１３】
マイクロ波加熱とは、図６のように電気室６に設置したマグネトロン１１よりマイクロ波が励起され、導波管１６を伝搬し、加熱室５下部に配置されたアンテナモーター１７により駆動される回転アンテナ１８を介して加熱室５内部へ放射し、マイクロ波により被加熱物を加熱する方式を指す。
【００１４】
輻射加熱とは、加熱室５の上部や下部に設置されたヒーターにて、加熱室５内部を高温にし、被加熱物を加熱する方式を指す。ここでは、図５、図６のように上ヒーター（フラットヒーター）２１と下ヒーター（シーズヒーター）２２が配置され、上ヒーター２１の上方に断熱材２３が設置されている。
【００１５】
正面から見て縦開き扉９における加熱室５の前面開口部７と対向しない右側位置、つまり縦開き扉９における電気室６に対応する部位には、図４のように操作部２４と、この操作部２４による操作の入力状態や調理状態を表示する表示部２５とが当該縦開き扉９と一体に設けられている。操作部２４は、例えば高周波加熱またはヒーター加熱を選択する選択ボタンや加熱時間等の加熱条件を入力する入力ボタンやスタートキーや取消キー等を有している。
【００１６】
正面から見て縦開き扉９のフレーム９ａの窓ガラス８を挟む左右両側には、図１、図３、図１０のように窓ガラス８を固着している接着剤３０の盛り上がり高さよりも突出高さが高く、かつ角皿１３を引き出し方向に案内する凸形状部すなわち凸条３１ａ，３１ｂが設けられている。なお、凸形状部とは、ここでは凸条３１ａ，３１ｂを例に挙げて説明しているが、その他に、例えば引き出し方向に配置した一連の凸部やスペーサーなども含まれるものである。
【００１７】
これにより、角皿１３を引き出した時には、図１、図２、図７、図８、図１０のように角皿１３を凸条３１ａ，３１ｂに載せて、引き出し方向に案内することができる。このため、接着剤３０の盛り上がり部と角皿１３との接触がなくなり、角皿１３をスムーズに引き出すことができる。
【００１８】
また、凸条３１ａ，３１ｂの長さ寸法は、図１、図３のように接着剤３０の角皿引き出し方向寸法よりも長くしている。これにより、接着剤３０の盛り上がり部と角皿１３との接触を確実に防止することができる。
【００１９】
また、凸条３１ａ，３１ｂの角皿引き出し方向先端部に、図１、図３、図９のように角皿１３と係合可能なストッパー３２ａ，３２ｂを設けている。これにより、角皿引き出し時に、使用者に角皿引き出し終端であることを気付かせることができ、角皿１３の縦開き扉９からの脱落が防止され、安全性が向上する。
【００２０】
また、ここでは凸条３１ａ，３１ｂを、縦開き扉９の板金でなるフレーム９ａに設けているので、製作が容易である。なお、凸条３１ａ，３１ｂの材料は金属に限るものでなく、その他の材料、例えば樹脂等で形成してもよいものである。
【００２１】
実施形態２．
図１１は本発明の実施形態２に係る加熱調理器の角皿側のガイドと扉側の凸形状部との関係を正面側より示す要部拡大断面図である。図１２は本発明の実施形態２に係る加熱調理器の角皿をストッパー部位まで引き出した状態を示す側面視の断面図である。なお、各図中、前述の実施形態１に相当する部分には同一符号を付してある。
【００２２】
本発明の実施形態２の加熱調理器は、角皿１３に、縦開き扉９側の凸条３１ａ，３１ｂの外側に沿って延びるガイド１３ａを設けたものである。それ以外の構成は前述の実施形態１のものと同一である。
【００２３】
本発明の実施形態２の加熱調理器においては、角皿１３の引き出し時に、引き出し方向と交差する方向の動きを、ガイド１３ａが縦開き扉９側の凸条３１ａ，３１ｂと当接することで規制する。このため、引き出し時の角皿１３の横ぶれが防止され、安定した引き出しが可能となる。
【００２４】
実施形態３．
図１３は本発明の実施形態３に係る加熱調理器の角皿を取り出した後の状態を示す斜視図である。図１４は本発明の実施形態３に係る加熱調理器の角皿と扉側の角皿引き出し方向に直交する凸部との関係を側方より示す要部拡大断面図である。なお、各図中、前述の実施形態１に相当する部分には同一符号を付してある。
【００２５】
本発明の実施形態３の加熱調理器は、縦開き扉９側の凸形状部すなわち角皿引き出し方向に延びる凸条３１ｃ，３１ｄを、縦開き扉９の窓ガラス８に設けるとともに、縦開き扉９における窓ガラス８と加熱室５の前面開口部７との間、つまり窓ガラス８の手前に、角皿引き出し方向に直交する凸条３３を設けたものである。それ以外の構成は前述の実施形態１のものと同一である。
【００２６】
本発明の実施形態３の加熱調理器においては、縦開き扉９側の凸形状部すなわち角皿引き出し方向に延びる凸条３１ｃ，３１ｄを、縦開き扉９の窓ガラス８に設けているので、縦開き扉９の板金でなるフレーム９ａの塗装面を痛めることがない。
【００２７】
また、窓ガラス８の手前、換言すれば窓ガラス８への移載部に、角皿引き出し方向に直交する凸条３３を設けているので、角皿１３の引き出し時に、角皿１３を窓ガラス８の面と干渉させることなく凸条３１ｃ，３１ｄへ案内することができる。
【００２８】
実施形態４．
図１５は本発明の実施形態４に係る加熱調理器の角皿と扉側のスペーサーとの関係を正面側より示す要部拡大断面図であり、図中、前述の実施形態１に相当する部分には同一符号を付してある。
【００２９】
本発明の実施形態４の加熱調理器は、凸形状部を、窓ガラス８を固着している接着剤３０中に部分的に埋め込まれて、反埋込部が接着剤３０の盛り上がり部よりも突出するスペーサー４０により構成したものである。それ以外の構成は前述の実施形態１のものと同一である。
【００３０】
本発明の実施形態４の加熱調理器においては、凸形状部を、別部材で構成されるスペーサー４０により構成しているので、より摺動性のよい部品を選択して使用することができる。
【００３１】
ここまでは、凸形状部を縦開き扉９の側に設けたものについて説明したが、凸形状部は角皿１３側に設けてもよいものである。次に、凸形状部を角皿１３側に設けた場合について説明する。
【００３２】
実施形態５．
本発明の実施形態５の加熱調理器は、凸形状部を、前記角皿の下面に、窓ガラス８を固着している接着剤３０の盛り上がり高さよりも突出高さが高く、かつ当該角皿を引き出し方向に案内する凸形状部を設けたものである。これにより、前述の実施形態１と同様に、角皿１３をスムーズに引き出すことができるという効果が得られる。
【００３３】
また、角皿１３の下面に設けた凸形状部の長さ寸法を、前記接着剤の角皿引き出し方向寸法よりも長くしたものである。これにより、前述の実施形態１と同様に、接着剤３０の盛り上がり部と角皿１３との接触を確実に防止することができるという効果が得られる。
【００３４】
また、縦開き扉９の内面における角皿引き出し方向先端部に、角皿１３と係合可能なストッパーを設けたものである。これにより、前述の実施形態１と同様に、角皿引き出し時に、使用者に角皿引き出し終端であることを気付かせることができ、角皿１３の縦開き扉９からの脱落が防止され、安全性が向上するという効果が得られる。
【００３５】
また、縦開き扉９の内面に、角皿１３の下面の凸形状部に沿って延びるガイドを設けてもよいものである。これにより、前述の実施形態２と同様に、角皿１３の引き出し時に、引き出し方向と交差する方向の動きを、扉側のガイドが角皿１３側の凸形状部と当接することで規制する。このため、引き出し時の角皿１３の横ぶれが防止され、安定した引き出しが可能となるという効果が得られる。
【００３６】
また、凸形状部を、角皿の下面に取り付けた別部材でなるスペーサーにより構成してもよいものである。これにより、前述の実施形態４と同様に、より摺動性のよい部品を選択して使用することができるという効果が得られる。
【００３７】
実施形態６．
図１６は本発明の実施形態６に係る加熱調理器の要部であるフレームの窓ガラス固定部を拡大して示す断面図であり、図中、前述の実施形態１に相当する部分には同一符号を付してある。
【００３８】
本発明の実施形態６の加熱調理器は、縦開き扉９の内面のフレーム９ａの窓ガラス８の固定面９ｂを、接着剤３０のはみ出し部と角皿１３との間にクリアランスを確保できる量、当該縦開き扉９の内面より凹陥させ、その凹陥部の角皿引き出し方向縁部を、角皿１３を加熱室５内より引き出す際のガイドとしたものである。
【００３９】
本発明の実施形態６の加熱調理器においては、縦開き扉９の内面のフレーム９ａの窓ガラス８の固定面９ｂを、接着剤３０のはみ出し部と角皿１３との間にクリアランスを確保できる量、当該縦開き扉９の内面より凹陥させ、その凹陥部の角皿引き出し方向縁部を、角皿１３を加熱室５内より引き出す際のガイドとして利用しているので、余分な加工を必要とせず、その分、製造コストを低く抑えることができる。
【符号の説明】
【００４０】
１  本体、２  前板、３  外装板、５  加熱室、６  電気室、７  前面開口部、８  窓ガラス、９  縦開き扉、９ａ  フレーム、９ｂ  窓ガラスの固定面、１０  ハンドル、１１  マグネトロン、１２  高圧電力発生手段、１３  角皿、１３ａ  角皿に設けたガイド、１４ａ，１４ｂ  棚保持部、１５  赤外線センサー、１６  導波管、１７  アンテナモーター、１８  回転アンテナ、２１  上ヒーター（フラットヒーター）、２２  下ヒーター（シーズヒーター）、２３  断熱材、２４  操作部、２５  表示部、３０  接着剤、３１ａ，３１ｂ、３１ｃ，３１ｄ  凸条（凸形状部）、３２ａ，３２ｂ  ストッパー、４０  スペーサー（凸形状部）。
【図１】
0005641980.tif 000002
【図２】
0005641980.tif 000003
【図３】
0005641980.tif 000004
【図４】
0005641980.tif 000005
【図５】
0005641980.tif 000006
【図６】
0005641980.tif 000007
【図７】
0005641980.tif 000008
【図８】
0005641980.tif 000009
【図９】
0005641980.tif 000010
【図１０】
0005641980.tif 000011
【図１１】
0005641980.tif 000012
【図１２】
0005641980.tif 000013
【図１３】
0005641980.tif 000014
【図１４】
0005641980.tif 000015
【図１５】
0005641980.tif 000016
【図１６】
0005641980.tif 000017